(57)【要約】  無線記憶デバイスに対するマルチユーザ・アクセスを可能にする様々なシステムおよび方法が開示される。例えば、本発明のいくつかの実施形態は、マスタ・デバイスおよび共用デバイスに通信可能に結合されるように動作可能な無線記憶デバイスを提供することを含む、コンテンツ・オブジェクトを共用するための方法を提供する。無線記憶デバイスは、１つまたは複数のコンテンツ・オブジェクトが保存されるメモリを含む。方法は、共用デバイスを識別する、共用を求める要求を受け取ることと、共用を求める要求を認可することとをさらに含む。共用を求める要求を認可することを通して、共用デバイスは、コンテンツ・オブジェクトを受け取ることを認可される。
2009545020.tif 000002
【特許請求の範囲】
【請求項１】
コンテンツ・オブジェクトを共用するための方法であって、
マスタ・デバイスおよび共用デバイスに通信可能に結合され、コンテンツ・オブジェクトを含む、無線記憶デバイスを提供する処理と、
前記共用デバイスを識別する、共用を求める要求を受け取る処理と、
前記共用デバイスが、前記コンテンツ・オブジェクトを受け取ることを認可されるように、前記共用を求める要求を認可する処理と
を含む方法。
【請求項２】
前記マスタ・デバイスが、グラフィカル・ユーザ・インターフェースを含み、前記共用を求める要求が、前記共用デバイスから受け取られ、前記方法が、
前記マスタ・デバイスの前記グラフィカル・ユーザ・インターフェースを介して提示される認可要求を駆動するために使用される情報セットを前記マスタ・デバイスに提供する処理をさらに含み、
前記共用を求める要求を認可することが、前記マスタ・デバイスの前記グラフィカル・ユーザ・インターフェースを介して応答を受け取る処理を含む、請求項１に記載の方法。
【請求項３】
前記マスタ・デバイスが、セルラ電話、オーディオ・プレーヤ、ビデオ・プレーヤ、携帯情報端末、および画面なしアプリケーション・デバイスからなる群から選択される、請求項１に記載の方法。
【請求項４】
前記共用デバイスが、セルラ電話、オーディオ・プレーヤ、ビデオ・プレーヤ、および携帯情報端末からなる群から選択される、請求項１に記載の方法。
【請求項５】
前記マスタ・デバイスが、ＷｉＦｉネットワークおよびＢｌｕｅｔｏｏｔｈネットワークからなる群から選択される無線ネットワークを使用して、前記無線記憶デバイスに通信可能に結合される、請求項１に記載の方法。
【請求項６】
前記共用を求める要求が、前記マスタ・デバイスから受け取られ、前記共用を求める要求を認可する処理が、前記共用を求める要求において暗黙的である、請求項１に記載の方法。
【請求項７】
前記共用デバイスのグラフィカル・ユーザ・インターフェースを介して利用可能コンテンツ・オブジェクト・メニューを駆動するために使用される情報セットを前記共用デバイスに提供する処理
をさらに含む、請求項１に記載の方法。
【請求項８】
コンテンツ・オブジェクトを求める要求を前記共用デバイスの前記グラフィカル・ユーザ・インターフェースを介して受け取る処理
をさらに含む、請求項７に記載の方法。
【請求項９】
前記要求されたコンテンツ・オブジェクトを前記共用デバイスに配布する処理
をさらに含む、請求項８に記載の方法。
【請求項１０】
前記要求されたコンテンツ・オブジェクトを前記共用デバイスに配布する処理が、前記要求されたコンテンツ・オブジェクトに関連するデジタル著作権管理方式に従った方法で、前記要求されたコンテンツ・オブジェクトをストリーム送信する処理を含む、請求項９に記載の方法。
【請求項１１】
コンテンツ・オブジェクトを求める要求を受け取る処理と、
前記要求されたコンテンツ・オブジェクトを前記マスタ・デバイスおよび前記共用デバイスの両方に同時に配布する処理と
をさらに含む、請求項１に記載の方法。
【請求項１２】
前記要求が、前記共用デバイス、前記マスタ・デバイス、ならびに前記共用デバイスおよび前記マスタ・デバイスの両方からなる群から選択されるデバイスから受け取られる、請求項１１に記載の方法。
【請求項１３】
コンテンツ・オブジェクトを共用するためのシステムであって、
プロセッサおよびメモリを含む無線記憶デバイスを備え、前記メモリが、不揮発性メモリおよび揮発性メモリを含み、前記メモリが、第１のコンテンツ・オブジェクトおよび第２のコンテンツ・オブジェクトを含み、前記第１のコンテンツ・オブジェクトが、プライベートとして識別され、前記第２のコンテンツ・オブジェクトが、共用可能として識別され、前記メモリが、
前記無線記憶デバイスを、前記第２のコンテンツ・オブジェクトにアクセスする共用デバイスに、第１の無線インターフェースを介して通信可能に結合し、
前記無線記憶デバイスを、前記第１のコンテンツ・オブジェクトおよび前記第２のコンテンツ・オブジェクトにアクセスするマスタ・デバイスに、第２の無線インターフェースを介して通信可能に結合するための、
前記プロセッサによって実行可能な命令を含むシステム。
【請求項１４】
前記メモリが、
前記マスタ・デバイスのグラフィカル・ユーザ・インターフェースを介して前記第１のコンテンツ・オブジェクトおよび前記第２のコンテンツ・オブジェクトを含む利用可能コンテンツ・オブジェクト・メニューを駆動するために使用される情報セットを前記マスタ・デバイスにアップロードするための、
前記プロセッサによって実行可能な命令をさらに含む、請求項１３に記載のシステム。
【請求項１５】
前記メモリが、
前記共用デバイスのグラフィカル・ユーザ・インターフェースを介して前記第２のコンテンツ・オブジェクトを含む利用可能コンテンツ・オブジェクト・メニューを駆動するために使用される情報セットを前記共用デバイスにアップロードするための、
前記プロセッサによって実行可能な命令をさらに含む、請求項１３に記載のシステム。
【請求項１６】
前記第１の無線インターフェースが、ＷｉＦｉインターフェースおよびＢｌｕｅｔｏｏｔｈインターフェースからなる群から選択される、請求項１３に記載のシステム。
【請求項１７】
コンテンツ・オブジェクトを共用するためのシステムであって、
プロセッサおよびメモリを含む無線記憶デバイスを備え、前記メモリが、コンテンツ・オブジェクトを含み、前記メモリが、
前記無線記憶デバイスを、共用デバイスに、第１の無線インターフェースを介して通信可能に結合し、
前記無線記憶デバイスを、マスタ・デバイスに、第２の無線インターフェースを介して通信可能に結合し、
前記共用デバイスを識別する、共用を求める要求を受け取り、
前記共用デバイスが、前記コンテンツ・オブジェクトを受け取ることを認可されるように、前記共用を求める要求を認可するための、
前記プロセッサによって実行可能な命令を含むシステム。
【請求項１８】
前記マスタ・デバイスが、セルラ電話、オーディオ・プレーヤ、ビデオ・プレーヤ、および携帯情報端末からなる群から選択され、
前記共用デバイスが、セルラ電話、オーディオ・プレーヤ、ビデオ・プレーヤ、および携帯情報端末からなる群から選択される、請求項１７に記載のシステム。
【請求項１９】
前記マスタ・デバイスが、ＷｉＦｉネットワークおよびＢｌｕｅｔｏｏｔｈネットワークからなる群から選択される無線ネットワークを使用して、前記無線記憶デバイスに通信可能に結合され、
前記共用デバイスが、ＷｉＦｉネットワークおよびＢｌｕｅｔｏｏｔｈネットワークからなる群から選択される無線ネットワークを使用して、前記無線記憶デバイスに通信可能に結合される、請求項１７に記載のシステム。
【請求項２０】
前記マスタ・デバイスが、グラフィカル・ユーザ・インターフェースを含み、前記共用を求める要求が、前記共用デバイスから受け取られ、前記メモリが、
前記マスタ・デバイスの前記グラフィカル・ユーザ・インターフェースを介して提示される認可要求を駆動するために使用される情報セットを前記マスタ・デバイスに提供するための、前記プロセッサによって実行可能な命令をさらに含み、
前記共用を求める要求を認可することが、前記マスタ・デバイスの前記グラフィカル・ユーザ・インターフェースを介して応答を受け取ることを含む、請求項１７に記載のシステム。
【請求項２１】
前記共用を求める要求が、前記マスタ・デバイスから受け取られ、前記共用を求める要求を認可することが、共用を求める要求において暗黙的である、請求項２０に記載のシステム。
【請求項２２】
前記メモリが、
コンテンツ・オブジェクトを求める要求を受け取り、
前記要求されたコンテンツ・オブジェクトを前記マスタ・デバイスおよび前記共用デバイスの両方に同時に配布するための、
前記プロセッサによって実行可能な命令をさらに含む、請求項１７に記載のシステム。
【請求項２３】
前記要求が、前記共用デバイス、前記マスタ・デバイス、ならびに前記共用デバイスおよび前記マスタ・デバイスの両方からなる群から選択されるデバイスから受け取られる、請求項２２に記載のシステム。
【請求項２４】
前記メモリが、
前記共用デバイスのグラフィカル・ユーザ・インターフェースを介して利用可能コンテンツ・オブジェクト・メニューを駆動するために使用される情報セットを前記共用デバイスに提供するための、
前記プロセッサによって実行可能な命令をさらに含む、請求項１７に記載のシステム。
【請求項２５】
前記メモリが、
前記共用デバイスの前記グラフィカル・ユーザ・インターフェースを介してコンテンツ・オブジェクトを求める要求を受け取るための、
前記プロセッサによって実行可能な命令をさらに含む、請求項２４に記載のシステム。
【請求項２６】
前記メモリが、
前記要求されたコンテンツ・オブジェクトを前記共用デバイスに配布するための、
前記プロセッサによって実行可能な命令をさらに含む、請求項２５に記載のシステム。
【発明の詳細な説明】
【技術分野】
【０００１】
本出願は、Ａｌ−Ｒｅｆａｅｅ他によって２００６年７月５日に出願された「ＳＹＳＴＥＭＳ  ＡＮＤ  ＭＥＴＨＯＤＳ  ＦＯＲ  ＭＯＢＩＬＥ  ＤＡＴＡ  ＳＴＯＲＡＧＥ  ＡＮＤ  ＡＣＱＵＩＳＩＴＩＯＮ」と題する米国仮特許出願第６０／８０６，６１０号、Ａｌ−Ｒｅｆａｅｅ他によって２００６年１０月１１日に出願された「ＳＹＳＴＥＭＳ  ＡＮＤ  ＭＥＴＨＯＤＳ  ＦＯＲ  ＭＯＢＩＬＥ  ＤＡＴＡ  ＳＴＯＲＡＧＥ  ＡＮＤ  ＡＣＱＵＩＳＩＴＩＯＮ」と題する米国仮特許出願第６０／８２９，００７号、およびＡｌ−Ｒｅｆａｅｅ他によって２００６年１２月１１日に出願された「ＳＹＳＴＥＭＳ  ＡＮＤ  ＭＥＴＨＯＤＳ  ＦＯＲ  ＭＯＢＩＬＥ  ＤＡＴＡ  ＳＴＯＲＡＧＥ  ＡＮＤ  ＡＣＱＵＩＳＩＴＩＯＮ」と題する米国仮特許出願第６０／８６９，４５３号の優先権を主張する（上記出願の非仮出願である）。上記出願の各々は、本発明と同じ譲受人に譲渡され、すべての目的で参照により本明細書に組み込まれる。
【０００２】
さらに、本出願は、本出願と同日に出願された以下の特許出願、すなわち、Ｂａｈｒａｍ他によって出願された「Ｓｙｓｔｅｍｓ  ａｎｄ  Ｍｅｔｈｏｄｓ  ｆｏｒ  Ｉｍｐｌｅｍｅｎｔｉｎｇ  Ｈａｎｄｓ  Ｆｒｅｅ  Ｏｐｅｒａｔｉｏｎａｌ  Ｅｎｖｉｒｏｎｍｅｎｔｓ」と題するＰＣＴ出願第＿＿＿＿＿号（整理番号ＡＧＥＲＥ−００１２１０ＰＣＴ）、Ｈａｄｄａｄ他によって出願された「Ｓｙｓｔｅｍｓ  ａｎｄ  Ｍｅｔｈｏｄｓ  ｆｏｒ  Ｍｕｌｔｉｐｏｒｔ  Ｃｏｍｍｕｎｉｃａｔｉｏｎ  Ｄｉｓｔｒｉｂｕｔｉｏｎ」と題するＰＣＴ出願第＿＿＿＿＿号（整理番号ＡＧＥＲＥ−００１２２０ＰＣＴ）、Ｗａｒｒｅｎ他によって出願された「Ｓｙｓｔｅｍｓ  ａｎｄ  Ｍｅｔｈｏｄｓ  ｆｏｒ  Ｐｏｗｅｒ  Ｍａｎａｇｅｍｅｎｔ  ｉｎ  Ｒｅｌａｔｉｏｎ  ｔｏ  ａ  Ｗｉｒｅｌｅｓｓ  Ｓｔｏｒａｇｅ  Ｄｅｖｉｃｅ」と題するＰＣＴ出願第＿＿＿＿＿号（整理番号ＡＧＥＲＥ−００１２３０ＰＣＴ）、Ａｌ−Ｒｅｆａｅｅ他によって出願された「Ｓｙｓｔｅｍｓ  ａｎｄ  Ｍｅｔｈｏｄｓ  ｆｏｒ  Ｅｎａｂｌｉｎｇ  Ｃｏｎｓｕｍｐｔｉｏｎ  ｏｆ  Ｃｏｐｙ−Ｐｒｏｔｅｃｔｅｄ  Ｃｏｎｔｅｎｔ  Ａｃｒｏｓｓ  Ｍｕｌｔｉｐｌｅ  Ｄｅｖｉｃｅｓ」と題するＰＣＴ出願第＿＿＿＿＿号（整理番号ＡＧＥＲＥ−００１２４０ＰＣＴ）、およびＷａｒｒｅｎによって出願された「Ｓｙｓｔｅｍｓ  ａｎｄ  Ｍｅｔｈｏｄｓ  ｆｏｒ  Ｍｏｂｉｌｅ  Ｄａｔａ  Ｓｔｏｒａｇｅ  ａｎｄ  Ａｃｑｕｉｓｉｔｉｏｎ」と題するＰＣＴ出願第＿＿＿＿＿号（整理番号ＡＧＥＲＥ−００１２７０ＰＣＴ）に関連する。上記関連出願のすべては、本発明と同じ譲受人に譲渡され、すべての目的で参照により本明細書に組み込まれる。
【０００３】
本発明は、一般に、消費者電子デバイスに関し、詳細には、１つまたは複数のモバイル・デバイスに関する、情報を配布および保持するためのシステムおよび方法に関する。
【背景技術】
【０００４】
ローカル・データ・リポジトリを管理する中央プロセッサを備えるコンピュータ・アーキテクチャは、ここ数１０年のコンピューティングにおける標準となっている。このアーキテクチャは、関連プロセッサに対するスレーブとして認識される中央リポジトリを利用する。プロセッサは、情報の保存および中央ストレージからの情報の取り出しを随時指令することによって、中央リポジトリを管理する。お馴染みのプロセッサおよびメモリ構造を利用する多数のデバイスが開発されてきた。例えば、オーディオ・レコーダ、オーディオ・プレーヤ、セル電話、ビデオ・プレーヤ、ビデオ・ゲーム・デバイス、およびビデオ・レコーダなどを始めとする、多くの消費者デバイスが開発されており、それらの消費者デバイスは、デバイス内の管理プロセッサに対してスレーブとして動作する、特定のデバイスにとってローカルな中央メモリを含む。そのようなデバイスは、市場において急増しており、留まることを知らない消費者の要求を満たしてきた。
【０００５】
上述のデバイスを含む多くの消費者デバイスは、スタンドアロン・デバイスとしての能力を立証している。そのようなデバイスは一般に、特定のデバイスによって利用される情報を保持するメモリを含む。しかし、そのようなデバイスは、他のデバイスと情報を共用するためのどのような機能も提供せず、またはデバイスのメモリから情報を入手する機能は、非常に煩雑である。例えば、ＭＰ３プレーヤは、中央メモリを含み、オーディオ・ファイルは、そこから入手され、ＭＰ３プレーヤによって再生される。しかし、別のデバイスによってＭＰ３プレーヤから音楽を入手することは、パーソナル・コンピュータ（ＰＣ）との物理的結合を一般に必要とするので、煩雑である。実際問題として、上述の複雑さは、ＭＰ３プレーヤ上のメモリの使用を、ＭＰ３プレーヤの単一ユーザに制限する。
【特許文献１】米国仮特許出願第６０／８０６，６１０号
【特許文献２】米国仮特許出願第６０／８２９，００７号
【特許文献３】米国仮特許出願第６０／８６９，４５３号
【特許文献４】ＰＣＴ出願第＿＿＿＿＿号（整理番号ＡＧＥＲＥ−００１２１０ＰＣＴ）
【特許文献５】ＰＣＴ出願第＿＿＿＿＿号（整理番号ＡＧＥＲＥ−００１２２０ＰＣＴ）
【特許文献６】ＰＣＴ出願第＿＿＿＿＿号（整理番号ＡＧＥＲＥ−００１２３０ＰＣＴ）
【特許文献７】ＰＣＴ出願第＿＿＿＿＿号（整理番号ＡＧＥＲＥ−００１２４０ＰＣＴ）
【特許文献８】ＰＣＴ出願第＿＿＿＿＿号（整理番号ＡＧＥＲＥ−００１２７０ＰＣＴ）
【発明の開示】
【発明が解決しようとする課題】
【０００６】
したがって、少なくとも上述の理由のため、当技術分野では、データを配布するための高度なシステムおよび方法が必要とされている。
【課題を解決するための手段】
【０００７】
本発明は、一般に、消費者電子デバイスに関し、詳細には、１つまたは複数のモバイル・デバイスに関する、情報を配布および保持するためのシステムおよび方法に関する。
【０００８】
本発明の様々な実施形態は、コンテンツ・オブジェクトを共用するための方法を提供する。そのような方法は、マスタ・デバイスおよび共用デバイスに通信可能に結合されるように動作可能な無線記憶デバイスを提供することを含む。無線記憶デバイスは、１つまたは複数のコンテンツ・オブジェクトが保存されるメモリを含む。方法は、共用デバイスを識別する、共用を求める要求を受け取ることと、共用を求める要求を認可することとをさらに含む。共用を求める要求を認可することを通して、共用デバイスは、コンテンツ・オブジェクトを受け取ることを認可される。上述の実施形態のいくつかの例では、マスタ・デバイスは、グラフィカル・ユーザ・インターフェースを含み、共用を求める要求は、共用デバイスから受け取られる。そのような例では、方法は、情報セットをマスタ・デバイスに提供することをさらに含む。情報セットは、マスタ・デバイスのグラフィカル・ユーザ・インターフェースを介して提示される認可要求を駆動するために使用され、共用を求める要求を認可することは、マスタ・デバイスのグラフィカル・ユーザ・インターフェースを介して応答を受け取ることを含む。上述の実施形態のいくつかの例では、方法は、コンテンツ・オブジェクトを求める要求を受け取ることと、要求されたコンテンツ・オブジェクトをマスタ・デバイスおよび共用デバイスの両方に同時に配布することとをさらに含む。そのような例では、要求は、共用デバイス、マスタ・デバイス、または両方から受け取られる。
【０００９】
マスタ・デバイスおよび共用デバイスは、セルラ電話、オーディオ・プレーヤ、ビデオ・プレーヤ、および／または携帯情報端末とすることができるが、それらに限定されない。場合によっては、マスタ・デバイスおよび共用デバイスは、ＷｉＦｉネットワークおよび／またはＢｌｕｅｔｏｏｔｈネットワークとすることができるが、それらに限定されない無線ネットワークを使用して、無線記憶デバイスに通信可能に結合される。
【００１０】
上述の方法のいくつかの例では、共用を求める要求は、マスタ・デバイスから受け取られ、共用を求める要求を認可することは、共用を求める要求において暗黙的である。上述の実施形態の他の例では、方法は、情報セットを共用デバイスに提供することをさらに含む。情報セットは、共用デバイスのグラフィカル・ユーザ・インターフェースを介して利用可能コンテンツ・オブジェクト・メニューを駆動するために使用される。様々な例では、方法は、コンテンツ・オブジェクトを求める要求を共用デバイスのグラフィカル・ユーザ・インターフェースを介して受け取ることと、要求されたコンテンツ・オブジェクトを共用デバイスに配布することとをさらに含む。そのような例では、要求されたコンテンツ・オブジェクトを共用デバイスに配布することは、要求されたコンテンツ・オブジェクトに関連するデジタル著作権管理方式に従った方法で、要求されたコンテンツ・オブジェクトをストリーム送信することを含む。
【００１１】
本発明の他の実施形態は、コンテンツ・オブジェクトを共用するためのシステムを提供する。そのようなシステムは、プロセッサおよびメモリを備える無線記憶デバイスを含む。メモリは、不揮発性メモリおよび揮発性メモリを含み、少なくとも第１および第２のコンテンツ・オブジェクトが、メモリ内に保存される。第１のコンテンツ・オブジェクトは、プライベートとして識別され、第２のコンテンツ・オブジェクトは、共用可能として識別される。メモリは、共用デバイスが第２のコンテンツ・オブジェクトにアクセスするように、無線記憶デバイスを第１の無線インターフェースを介して共用デバイスに通信可能に結合し、マスタ・デバイスが第１のコンテンツ・オブジェクトおよび第２のコンテンツ・オブジェクトにアクセスするように、無線記憶デバイスを第２の無線インターフェースを介してマスタ・デバイスに通信可能に結合するための、プロセッサによって実行可能な命令をさらに含む。
【００１２】
上述の実施形態のいくつかの例では、メモリは、情報セットをマスタ・デバイスにアップロードするための、プロセッサによって実行可能な命令をさらに含む。情報セットは、マスタ・デバイスのグラフィカル・ユーザ・インターフェースを介して第１のコンテンツ・オブジェクトおよび第２のコンテンツ・オブジェクトを含む利用可能コンテンツ・オブジェクト・メニューを駆動するために使用される。上述の実施形態の他の例では、メモリは、情報セットを共用デバイスにアップロードするための、プロセッサによって実行可能な命令をさらに含む。情報セットは、共用デバイスのグラフィカル・ユーザ・インターフェースを介して第２のコンテンツ・オブジェクトを含む利用可能コンテンツ・オブジェクト・メニューを駆動するために使用される。
【００１３】
本発明のまた他の実施形態は、コンテンツ・オブジェクトを共用するためのシステムを提供する。そのようなシステムは、プロセッサおよびメモリを備える無線記憶デバイスを含む。メモリは、コンテンツ・オブジェクトと、無線記憶デバイスを第１の無線インターフェースを介して共用デバイスに通信可能に結合し、無線記憶デバイスを第２の無線インターフェースを介してマスタ・デバイスに通信可能に結合し、共用デバイスを識別する、共用を求める要求を受け取り、共用デバイスがコンテンツ・オブジェクトを受け取ることを認可されるように、共用を求める要求を認可するための、プロセッサによって実行可能な命令とを含む。上述の実施形態のいくつかの例では、マスタ・デバイスは、グラフィカル・ユーザ・インターフェースを含み、共用を求める要求は、共用デバイスから受け取られる。そのような例では、メモリは、情報セットをマスタ・デバイスに提供するための、プロセッサによって実行可能な命令をさらに含むことができる。情報セットは、マスタ・デバイスのグラフィカル・ユーザ・インターフェースを介して提示される認可要求を駆動するために使用される。共用を求める要求を認可することは、マスタ・デバイスのグラフィカル・ユーザ・インターフェースを介して応答を受け取ることを含む。場合によっては、共用を求める要求は、マスタ・デバイスから受け取られ、共用を求める要求を認可することは、共用を求める要求において暗黙的である。上述の実施形態の他の例では、メモリは、コンテンツ・オブジェクトを求める要求を受け取り、要求されたコンテンツ・オブジェクトをマスタ・デバイスおよび共用デバイスの両方に同時に配布するための、プロセッサによって実行可能な命令をさらに含む。
【００１４】
この要約は、本発明のいくつかの実施形態による一般的な概略を提供するにすぎない。本発明の多くの他の目的、特徴、利点、他の実施形態は、以下の詳細な説明、添付の特許請求の範囲、および添付の図面からより十分に明らかとなろう。
【００１５】
本発明の様々な実施形態のさらなる理解は、本明細書の残りの部分で説明される図面を参照して実現されよう。図面では、同様の参照番号は、複数の図全体にわたって、同様のコンポーネントを指示するために使用される。いくつかの例では、小文字から成るサブレベルは、複数の同様のコンポーネントの１つを表すために、参照番号に関連づけられる。参照が既存のサブラベルの指定のない参照番号に対して行われる場合、そのような複数の同様のコンポーネントを指示することを意図している。
【発明を実施するための最良の形態】
【００１６】
本発明は、一般に、消費者電子デバイスに関し、詳細には、１つまたは複数のモバイル・デバイスに関する、情報を配布および保持するためのシステムおよび方法に関する。
【００１７】
図１を参照すると、図は、本発明の様々な実施形態による、例示的なコンテンツ使用ネットワーク１００を示している。例示的なコンテンツ使用ネットワーク１００は、ＵＭＣＳ１１０をその中核に含む。ＵＭＣＳ１１０は、１つまたは複数のオンラインおよび無線コンテンツ・プロバイダからコンテンツを受け取るばかりでなく、例えばオーディオ・レコーダおよびビデオ・レコーダなど、様々な自己保持アプリケーション・デバイスからも受け取る。場合によっては、ＵＭＣＳ１１０は、ケーブル１１７を介してパーソナル・コンピュータ１１５に断続的（ｉｎｔｅｒｍｉｔｔｅｎｔｌｙ）に有線接続されてよい。そのような場合、ＵＭＣＳ１１０は、パーソナル・コンピュータ１１５に関連する標準Ｉ／Ｏインターフェースを使用して、パーソナル・コンピュータ１１５を介して構成されることができる。
【００１８】
無線ネットワーク１２０は、当技術分野で知られた任意の無線ネットワークとすることができる。したがって、例えば、無線ネットワーク１２０は、当技術分野で知られるようなＢｌｕｅｔｏｏｔｈ（商標）ネットワークまたはＷｉＦｉネットワークとすることができるが、それに限定されない。上で示されたように、「Ｂｌｕｅｔｏｏｔｈ」という語は、Ｂｌｕｅｔｏｏｔｈ  ＳＩＧ，Ｉｎｃ．の登録商標である。簡明にするため、これ以降でＢｌｕｅｔｏｏｔｈという語を使用する際、慣行の商標表示は行われない場合がある。ＵＭＣＳ１１０は、別のアプリケーション・デバイスのユーザ・インターフェースを使用して、無線ネットワーク１２０を介して構成することができる一方、他の手法を使用して、構成することもできることに留意されたい。したがって、例えば、ＵＭＣＳ１１０は、自己構成を行うこともできる。そのような場合、ＵＭＣＳ１１０は、利用可能な無線ネットワークを自動検出するばかりでなく、無線ネットワークを介して接続されるデバイスも自動検出するために、十分なインテリジェンスを備えて実施される。具体的な一例として、ＵＭＣＳ１１０は、電源がデバイスに投入されたときに、ＵＭＣＳ１１０の範囲内に存在するＢｌｕｅｔｏｏｔｈデバイスを自動的にスキャンするように実施することができる。検出されたＢｌｕｅｔｏｏｔｈデバイスに基づいて、ＵＭＣＳ１１０は、以下でより十分に説明されるように、サービス提供を形成することができる。
【００１９】
ＵＭＣＳ１１０は、様々なデバイスおよびデバイスのクラスと、無線ネットワーク１２０を介して対話することが可能である。例えば、場合によっては、ＵＭＣＳ１１０は、ＵＭＣＳ対応アプリケーション・デバイスと、無線ネットワーク１２０を介して直接対話することが可能である。そのようなＵＭＣＳ対応アプリケーション・デバイスは、ＵＭＣＳ１１０に対して認証を行い、ＵＭＣＳ１１０から情報を受け入れ、ＵＭＣＳ１１０に情報を転送する機能と、デジタル著作権管理を提供する機能とを含み、それによって、コンテンツは、ＵＭＣＳ１１０とＵＭＣＳ対応アプリケーション・デバイスの間の転送時に保護されるばかりでなく、ＵＭＣＳ対応アプリケーション・デバイス内でも安全に保持される。無線ネットワーク１２０がＢｌｕｅｔｏｏｔｈネットワークである状況では、上述のＵＭＣＳ対応アプリケーション・デバイスは、Ｂｌｕｅｔｏｏｔｈ機能を含む。
【００２０】
様々な場合において、ＵＭＣＳ１１０は、無線ネットワーク１２０を介して、非ＵＭＣＳ対応アプリケーション・デバイスと直接対話するように動作可能である。そのような場合、ＵＭＣＳ１１０が、出力を適合する機能、および非ＵＭＣＳ対応アプリケーション・デバイスからの入力を受け取る機能を含み、または非ＵＭＣＳ対応アプリケーション・デバイスが、あるクラスのデバイスと共に動作するように適合された専門ＵＭＣＳ変換器を介して、ＵＭＣＳ１１０と対話することができる。したがって、例えば、無線ネットワーク１２０がＢｌｕｅｔｏｏｔｈネットワークである場合、ＵＭＣＳ変換器は、多くの通信手法の任意の１つを介して、情報を非ＵＭＣＳ対応アプリケーション・デバイスから受け取り、また非ＵＭＣＳ対応アプリケーション・デバイスに提供すること、およびＢｌｕｅｔｏｏｔｈプロトコルを使用して、情報をＵＭＣＳ１１０に／から伝達することを可能にすることができる。一例として、ＵＭＣＳ１１０は、ＵＭＣＳデジタル・オーディオ変換器１５０を介して、デジタル・オーディオ・デバイス（例えば、デジタル・オーディオ・プレーヤ１５１およびデジタル・オーディオ・レコーダ１５２）と対話することができる。別の例として、セルラ電話１６１または携帯情報端末（図示されず）は、直接またはＵＭＣＳオーディオ／ビデオ変換器１６０を介して、ＵＭＣＳ１１０と対話することができる。また別の例として、ＵＭＣＳ１１０は、ＵＭＣＳデジタル・ビデオ変換器１６５を介して、ビデオ・デバイス（例えば、セットトップ・ボックス１６６、ビデオ・カセット・プレーヤ１６７、デジタル・ビデオ・レコーダ１６８、およびテレビ１６９）と対話することができる。さらに別の例として、ＵＭＣＳ１１０は、ＵＭＣＳデジタル画像変換器１７０を介して、デジタル・スチール・カメラ１７１またはプリンタ（図示されず）などの静止画デバイスと対話することができる。また別の例として、ＵＭＣＳ１１０は、ＵＭＣＳ  ＧＰＳ変換器１７５を介して、ＧＰＳ受信機／ディスプレイ１７６と対話することができる。
【００２１】
様々な場合において、ＵＭＣＳ１１０は、ＵＭＣＳ複合変換器１４０を介して、非ＵＭＣＳ対応アプリケーション・デバイスと直接対話するように動作可能である。ＵＭＣＳ複合変換器１４０は、複数のクラスの受取側デバイスとのＵＭＣＳ対話を提供するように動作可能である。したがって、例えば、無線ネットワーク１２０がＢｌｕｅｔｏｏｔｈネットワークである場合、ＵＭＣＳ複合変換器１４０は、多くの通信手法の任意の１つを介して、情報を異なるクラスの非ＵＭＣＳ対応アプリケーション・デバイスから受け取り、また異なるクラスの非ＵＭＣＳ対応アプリケーション・デバイスに提供すること、およびＢｌｕｅｔｏｏｔｈプロトコルを使用して、情報をＵＭＣＳ１１０に／から伝達することを可能にすることができる。一例として、ＵＭＣＳ複合変換器１４０は、ＵＭＣＳ１１０を、例えば、デジタル・オーディオ・プレーヤ１４１、デジタル・ビデオ・レコーダ１４２、テレビ１４３、セットトップ・ボックス１４４、デジタル・スチール・カメラ１４５、ビデオ・カセット・プレーヤ１４６、デジタル・オーディオ・レコーダ１４７、セルラ電話１４８、およびＧＰＳ受信機１４９、または上記のデバイス・クラスの何らかの組合せに結合することができる。そのような場合、ＵＭＣＳ１１０内に含まれる記憶媒体から入手されるコンテンツの復号は、ＵＭＣＳ複合変換器１４０内に備えられた復号器を使用して行われる。したがって、コンテンツは、ＵＭＣＳ１１０によってアンラップされ、アンラップされたコンテンツは、無線ネットワーク１２０を介して、ＵＭＣＳ複合変換器１４０に提供される。ＵＭＣＳ複合変換器１４０は、コンテンツを復号し、それを適切な受取側デバイスに提供する一方で、同時に、任意の要求されたデジタル著作権管理が維持されることを確実にする。いくつかの場合には、ＵＭＣＳ複合変換器１４０は、１つまたは複数の受取側デバイスに関連するドングルとして実施されてよい。
【００２２】
ＵＭＣＳデバイスを含むコンテンツ使用ネットワークについてのさらなる説明は、すべての目的で先に参照により本明細書に組み込まれた、「Ｓｙｓｔｅｍｓ  ａｎｄ  Ｍｅｔｈｏｄｓ  ｆｏｒ  Ｍｏｂｉｌｅ  Ｄａｔａ  Ｓｔｏｒａｇｅ  ａｎｄ  Ａｃｑｕｉｓｉｔｉｏｎ」と題する特許出願で提供されている。
【００２３】
図２ａを参照すると、本発明の１つまたは複数の実施形態による、モバイル・データ獲得、保存、および／または配布システム（「モバイル記憶システム」）２０１が示されている。モバイル記憶システム２０１は、無線ネットワーク２２１を介して、モバイル・アプリケーション・デバイス２４１に通信可能に結合されるＵＭＣＳ２１１を含む。無線ネットワーク２２１は、ＵＭＣＳ２１１とモバイル・アプリケーション・デバイス２４１の間で情報を転送することが可能な任意の無線ネットワークとすることができる。したがって、例えば、無線ネットワーク２２１は、Ｂｌｕｅｔｏｏｔｈ（商標）ネットワーク、または例えば８０２．１１準拠のＷｉ−Ｆｉネットワークとすることができるが、それらに限定されない。本明細書で提供される開示に基づいて、当業者であれば、本発明の１つまたは複数の実施形態に関して使用され得る様々な無線ネットワークについて理解されよう。いくつかの実施形態では、ＵＭＣＳ２１１とモバイル・アプリケーション・デバイス２４１の間の通信は、介在する有線ハブを利用することなく、直接２つのデバイスの間で達成される。
【００２４】
ＵＭＣＳ２１１は、アプリケーション・メモリ２１９およびユーザ・データ・メモリ２１７の両方を含むメモリ・システム２０７を含む。本明細書で使用される「アプリケーション・メモリ」という語句は、ソフトウェアまたはファームウェア・アプリケーションを含むために割り当てられたメモリを指す最も広い意味で使用される。当技術分野で知られているように、そのようなソフトウェアおよびファームウェア・アプリケーションは、多くの所望の動作の１つを実行するための、プロセッサによって実行可能な命令を含む。本明細書で使用される「ユーザ・データ・メモリ」という語句は、アプリケーション・データ以外のデータのために割り当てられた任意のメモリを指す最も広い意味で使用される。したがって、例えば、ユーザ・データ・メモリは、オーディオ・ファイル、ビデオ・ファイル、文書、および他のタイプのユーザ・データを保存することができるが、それらに限定されない。図３に関して以下でより十分に説明されるように、メモリ・システム２０７は、揮発性および不揮発性メモリ媒体の一方または両方を用いて実施されてよい。本明細書で使用される「不揮発性メモリ」という語句は、メモリから電力が除かれたときもその内容を保持する任意のメモリを指す最も広い意味で使用される。本明細書で使用される「揮発性メモリ」という語句は、メモリから電力が除かれたときにその内容を保持しない任意のメモリを指す最も広い意味で使用される。
【００２５】
ＵＭＣＳ２１１は、メモリ・システム２０７へのアクセスおよびメモリ・システム２０７からのアクセスを提供する、任意の回路および／またはプログラム可能コントローラとすることができる、メモリ・アクセス・システム２１５も含む。ＵＭＣＳ２１１は、ＵＭＣＳ２１１の動作を指令することが可能なプロセッサ２０３も含む。具体的な１つの場合では、プロセッサ２０３は、無線配布インターフェース２１３を介してユーザ・データ・セットを受け取り、ユーザ・データ・セットをメモリ・システム２０７に保存し、リモート・ユーザ・インターフェースを通して発行された、ユーザ・データ・セットを受取側デバイスに提供するよう求める要求を受け取り、無線インターフェースを介してユーザ・データ・セットを受取側デバイスに提供するための、プロセッサ２０３によって実行可能な命令を含む、アプリケーション・メモリ２１９にアクセスすることが可能である。本明細書で提供される開示に基づいて、当業者であれば、多くの動作のいずれかをＵＭＣＳ２１１によって実行させるために、プロセッサ２０３によって実行可能とし得る多数の命令について理解されよう。
【００２６】
ＵＭＣＳ２１１は、無線配布インターフェース２１３およびアンテナ２２３を含む無線インターフェースをさらに含む。無線配布インターフェース２１３は、無線ネットワーク２２１によって認識される無線プロトコルを介した転送用にデータをフォーマットするために必要とされる回路のすべてを含む。したがって、無線ネットワーク２２１がＢｌｕｅｔｏｏｔｈ（商標）ネットワークである場合、無線配布インターフェース２１３は、ＵＭＣＳ２１１と無線ネットワーク２２１の間でデータを転送するための任意のＢｌｕｅｔｏｏｔｈ（商標）インターフェースとすることができる。当業者であれば理解されるように、無線ネットワーク２２１が別の無線プロトコルを使用する場合、無線配布インターフェース２１３は、他のインターフェース・プロトコルを使用してＵＭＣＳ２１１と無線ネットワーク２２１の間でデータを転送することが可能な任意のインターフェースとすることができる。
【００２７】
モバイル記憶システム２０１は、無線インターフェース２２１を介してＵＭＣＳ２１１に通信可能に結合される任意の数のアプリケーション・デバイス（モバイル・アプリケーション・デバイス２４１はそのようなアプリケーション・デバイスの典型例である）を含んでよいことに留意されたい。場合によっては、上述のアプリケーション・デバイスの１つまたは複数は、モバイル・アプリケーション・デバイスとすることができるが、その他は、有線アプリケーション・デバイスである。本明細書で使用される「モバイル・アプリケーション・デバイス」という語句は、任意の他のデバイスまたは電源に有線接続されることなく、１つまたは複数のアプリケーションを実施することが可能な任意の電子デバイスを指す最も広い意味で使用される。したがって、例えば、モバイル・アプリケーション・デバイスは、セルラ電話、無線ヘッドセット、携帯情報端末、ラップトップ・コンピュータ、ＭＰ３プレーヤ、およびモバイルＤＶＤプレーヤとすることができるが、それらに限定されない。本明細書で提供される開示に基づいて、当業者であれば、本発明の１つまたは複数の実施形態に関して使用され得る様々なモバイル・アプリケーション・デバイスについて理解されよう。さらに、本明細書で提供される開示に基づいて、当業者であれば、モバイル・アプリケーション・デバイス２４１が、以下でさらに定義されるようなマスタ・デバイスまたは共用デバイスとなり得ることを理解されよう。
【００２８】
モバイル・アプリケーション・デバイス２４１は、無線ネットワーク・インターフェース２４３とアンテナ２２５を備える無線インターフェースを含む。無線ネットワーク・インターフェース２４３は、モバイル・アプリケーション・デバイス２４１と無線ネットワーク２２１上の別のデバイスとの間でデータを転送することが可能な、当技術分野で知られた任意の無線インターフェースとすることができる。モバイル・アプリケーション・デバイスは、デバイスの動作を制御するプロセッサ２４５も含む。モバイル・アプリケーション・デバイス２４１は、キャッシュ２４７、ランダム・アクセス・メモリ２４９、および不揮発性ランダム・アクセス・メモリ２５１を備えるメモリ・システムを含む。さらに、モバイル・アプリケーション・デバイス２４１は、グラフィカル・ユーザ・インターフェース・コントローラ２６１、オーディオ・コントローラ２６３、およびユーザＩ／Ｏコントローラ２６５を始めとする様々な入力／出力サービスを含む。グラフィカル・ユーザ・インターフェース・コントローラ２６１は、モバイル・アプリケーション・デバイス２４１に統合され得るグラフィカル・ユーザ・インターフェース２８６をサポートする。オーディオ・コントローラ２６３は、マイクロフォン２８７などのオーディオ入力デバイスおよびスピーカ２８８などのオーディオ出力デバイスをサポートする。ユーザＩ／Ｏコントローラは、キーボード２８９をサポートし、場合によっては、当技術分野で知られたマウスまたはペン・インターフェース・デバイスをサポートする。
【００２９】
図２ｂを参照すると、フローチャート８０１は、本発明のいくつかの実施形態による、ＵＭＣＳデバイスを動作させるための方法を示している。フローチャート８０１によれば、ＵＭＣＳ２１１は、無線範囲内の１つまたは複数の既知のアプリケーション・デバイスを識別し（ブロック８０６）、デバイス間の通信が可能になるように、ＵＭＣＳ自体を識別したデバイスにバインドする（ブロック８１１）。この例では、識別したデバイスは、グラフィカル・ユーザ・インターフェースを含む。一例として、ＵＭＣＳ２１１は、Ｂｌｕｅｔｏｏｔｈ（商標）ネットワークを使用して、特定のセルラ電話またはモバイル・メディア・プレーヤに自動的に接続するようにプログラムされてよい。そのような場合、ＵＭＣＳ２１１は、セルラ電話またはモバイル・メディア・プレーヤを識別すると、ＵＭＣＳ２１１と特定のデバイスの間に通信リンクを確立する。
【００３０】
その後、ＵＭＣＳ２１１は、別の未知さもなければ無認可のアプリケーション・デバイスから接続のための要求を受け取る（ブロック８１６）。そのような要求は、ＵＭＣＳ２１１が通信している無線ネットワークを介して通信することが可能な別のデバイスからのものとすることができる。したがって、例えば、カー・ステレオは、範囲内に存在し、それ自体とＵＭＣＳ２１１の間の通信リンクを望むことができる。本明細書で提供される開示に基づいて、当業者であれば、ＵＭＣＳ２１１との接続を要求し得る様々なアプリケーション・デバイスについて理解されよう。受け取った接続要求を表すコマンドが、ＵＭＣＳ２１１から、グラフィカル・ユーザ・インターフェースを含む先にバインドした既知のアプリケーション・デバイスにアップロードされる（ブロック８２１）。コマンドは、既知のアプリケーション・デバイスのグラフィカル・ユーザ・インターフェースを介して、グラフィカル要求をユーザに対して表示させる（ブロック８３１）。その後、ユーザは、既知のアプリケーション・デバイスのグラフィカル・ユーザ・インターフェースを使用して、要求に応答する（ブロック８３６）。領域８２６の周囲の破線によって示されるように、ブロック８３１およびブロック８３６の動作は、既知のアプリケーション・デバイス上で実行される。その後、コマンドに対する応答が、ＵＭＣＳ２１１に転送される（ブロック８４１）。
【００３１】
ユーザによって要求が拒否された場合（ブロック８４６）、接続を求める要求に対応する拒否が発行される（ブロック８５１）。代わりに、ユーザによって要求が承諾された場合（ブロック８４６）、要求デバイスとＵＭＣＳ２１１の間に通信リンクが確立される（ブロック８５６）。次に、要求デバイスは、利用可能な操作のメニューをＵＭＣＳ２１１に要求することができる（ブロック８６１）。したがって、例えば、要求デバイスがＭＰ３オーディオ・プレーヤである場合、要求デバイスは、ＵＭＣＳ２１１のメモリ・システム内に保持されているすべての音楽のリストを要求することができる。別の例として、要求デバイスがビデオ・プレーヤである場合、要求デバイスは、ＵＭＣＳ２１１のメモリ・システム内に保持されているすべてのビデオ・クリップのリストを要求することができる。この要求に基づいて、ＵＭＣＳ２１１は、どの操作を要求デバイスから利用可能にすべきかを決定し、要求デバイスから利用可能なコンテンツまたは操作のメニューが、コマンドとして既知のアプリケーション・デバイスのグラフィカル・ユーザ・インターフェースに提供される（ブロック８６６）。
【００３２】
利用可能な操作のこのメニューは、既知のアプリケーション・デバイスのグラフィカル・ユーザ・インターフェースを使用して表示され（ブロック８７６）、ユーザは、グラフィカル・ユーザ・インターフェースを介して、リストから選択対象を入力する（ブロック８８１）。領域８７１の周囲の破線によって示されるように、ブロック８７６およびブロック８８１の動作は、既知のアプリケーション・デバイス上で実行される。その後、ユーザからの応答が、ＵＭＣＳ２１１に転送される（ブロック８８６）。その後、ＵＭＣＳ２１１は、ユーザ選択を実行する（ブロック８９１）。したがって、例えば、ユーザが特定の音楽ファイルを選択した場合、選択した音楽ファイルが、ＵＭＣＳ２１１のメモリ・システムから入手され、無線ネットワークを介して要求デバイスに転送される。本明細書で提供される開示に基づいて、当業者であれば、ＵＭＣＳ２１１にバインドした後、ＵＭＣＳ２１１にバインドした別のデバイスのグラフィカル・ユーザ・インターフェースを介して制御され得る多数のデバイスについて理解されよう。さらに、当業者であれば、様々なソースからＵＭＣＳ２１１によって受け取られ、別の接続アプリケーション・デバイスのグラフィカル・ユーザ・インターフェースを使用して処理され得る多数のコマンドおよび／または選択について理解されよう。
【００３３】
上記の説明に基づいて、当業者であれば、ＵＭＣＳ２１１は、グラフィカル・ユーザ・インターフェースを備えずに設計されてよく、グラフィカル・ユーザ・インターフェースを含む別のデバイスにバインドし、そのグラフィカル・ユーザ・インターフェースを利用することを可能にする機能を含むことができることを理解されよう。場合によっては、ＵＭＣＳ２１１は、無線で操作される場合、ＵＭＣＳ２１１上では非常に限られたユーザ・インターフェースしか直接利用可能ではないような方法でケースに入れてよい。この限られたユーザ・インターフェースは、３つ以下のスイッチ（例えば、セレクタ・ボタン、ロッカ・スイッチ、またはスライド・スイッチなど）を含むことができる。一例として、ボタンの１つは、電源ボタンとすることができ、別の１つは、例えば、電力消費が制限される場合または干渉の懸念がある場合に、無線インターフェースをオフにするように動作可能とすることができる。図２ｃを参照すると、限られたユーザ・インターフェースのみを含むＵＭＣＳ２１１用の例示的なケース８９５が示されている。示されるように、ケース８９５は、電源スイッチ（ボタンとして示されているが、任意の他のスイッチ・タイプとすることができる）８９３と、無線スイッチ（ボタンとして示されているが、任意の他のスイッチ・タイプとすることができる）８９７を有する、硬い外覆い（ｈａｒｄ  ｓｈｅｌｌ）８９８を含む。また、例えばＵＳＢインターフェースを介した有線接続、または例えばメモリ・カードの受け入れを可能にするため、１つまたは複数の電気的インターフェース８９９が含まれる。本明細書で提供される開示に基づいて当業者であれば理解されるように、グラフィカル・ディスプレイの欠如は、コストを低減し、ケース８９５の耐久性を高める。
【００３４】
図３ａを参照すると、本発明の１つまたは複数の実施形態による、ＵＭＣＳ３００が示されている。ＵＭＣＳ３００は、ハードディスク・ドライブ・インターフェース３１５を介してプロセッサ３１０からアクセス可能なハードディスク・ドライブ３０５を含む。ハードディスク・ドライブ・インターフェースは、データをハードディスク・ドライブ３０５に転送すること、およびハードディスク・ドライブ３０５から転送することを可能にする、当技術分野で知られた任意のインターフェースとすることができる。さらに、ハードディスク・ドライブ３０５は、当技術分野で知られた任意のハードディスク・ドライブとすることができる。本発明の様々な実施形態では、ハードディスク・ドライブは、フラッシュ・メモリなどの固体メモリのバンク、または何らかの常時給電ランダム・アクセス・メモリを含むが、それらに限定されない別の形態の不揮発性メモリによって置き換えまたは増強することができることに留意されたい。実際、ハードディスク・ドライブ３０５は、当技術分野で知られた任意の不揮発性メモリによって、置き換えまたは増強することができる。ハードディスク・ドライブ３０５が置き換えまたは増強される場合、ハードディスク・ドライブ・インターフェース３１５は、選択された不揮発性記憶媒体へのデータ転送または選択された不揮発性記憶媒体からのデータ転送を可能にするため、対応して置き換えまたは修正されてよい。
【００３５】
具体的な１つの場合では、ハードディスク・ドライブ・インターフェース３１５は、標準ＡＴＡインターフェースであり、ハードディスク・ドライブ３０５は、ＡＴＡハードディスク・ドライブである。加えて、ＵＭＣＳ３００は、各々がシステム・バス３５０を介してプロセッサ３１０に結合される、複数の伝送経路３３０を含む。示されるように、ＵＭＣＳ３００は、３つの異なる伝送経路を含み、その各々は、送信器／受信器３３２、３３４、３３６を含み、送信器／受信器３３２、３３４、３３６は、それぞれのアンテナ３４１、３４２、３４３およびローカル・バッファリング・メモリ３３１、３３３、３３５に電気的に結合される。ＵＭＣＳ３００は、ＵＭＣＳ３００の意図した使用および／または設計に応じて、より多数または少数の伝送経路を含んでよいことに留意されたい。本発明のいくつかの実施形態は、Ｂｌｕｅｔｏｏｔｈ（商標）伝送経路を利用する。そのような経路は、長時間にわたって動作することを期待されるモバイル・デバイスにとって有用な低電力経路である。さらに、そのような経路は、オーディオ／ビデオ・ストリーミングにとって十分な帯域幅を提供する。例えば、本発明の具体的な一実施形態では、伝送経路の組合せは、１．５Ｍビット／秒を提供する。このレベルの帯域幅は、７２０×３８０のフル解像度のＭＰＥＧ４／Ｄｉｖｘコンテンツを許容にする。そのような伝送経路は、１インチから１．８インチまでのドライブを含む様々なハードディスク・ドライブに関する動作を可能にする。３つの別々のアンテナ３４１、３４２、３４３が示されているが、いくつかの実施形態は、実施される伝送経路のすべてによる使用を可能にする単一のアンテナを利用し得ることに留意されたい。
【００３６】
他の場合には、伝送経路によってサポートされる帯域幅は、経路毎に１．５Ｍビット／秒である。また他の場合には、より高い帯域幅の伝送経路が利用されてよい。いくつかの具体的な場合には、１つまたは複数の伝送経路３３０の帯域幅は、様々な消費者オーディオおよび電話デバイスに関する使用にとって十分な１Ｍビット／秒未満である。本発明の具体的な実施形態は、直列データ・ストリームおよび２から３個の同時オーディオ・ストリームにとって十分な３Ｍビット／秒の全帯域幅を提供する。さらに、本発明のいくつかの実施形態は、高速アップロードおよびダウンロード機能のためのＵＳＢ２．０ポートを含む。いくつかの場合には、ＵＳＢポートは、無線ポートとして実施されるが、他の場合には、ＵＳＢポートは、有線ポートである。本明細書で提供される開示に基づいて、当業者であれば、１つまたは複数の伝送経路３３０およびそのような伝送経路をサポートするために実施される回路によってサポートされ得る様々な無線伝送プロトコルについて理解されよう。
【００３７】
ＵＭＣＳ３００は、システム・バス３１０を介してプロセッサ３１０に電気的に結合される、フラッシュ・メモリ３５８およびシステム・メモリ３５４を備えるメモリ・システムも含む。本明細書で提供される開示に基づいて、当業者であれば、エンド・デバイスの所望の特性および動作要件に応じて使用され得る多くのメモリ・システム設計について理解するであろうことに留意されたい。プロセッサ３１０は、場合によってはプロセッサ３１０に組み込まれ、他の場合には別個のデバイスである、Ｉ／Ｏコントローラ３６０にも電気的に結合される。Ｉ／Ｏコントローラ３６０は、ＵＳＢバス、１３９４（すなわちファイヤワイヤ）バス、ＵＡＲＴ、キーボード、マウス、および／またはディスプレイの１つまたは複数を介して対話する能力をＵＭＣＳ３００に提供する。ＵＳＢバスを介した対話は、ＵＳＢ  ＰＨＹ３６１およびＵＳＢコネクタ３７１の使用を含む。１３９４を介した対話は、１３９４ＰＨＹ３６２および１３９４コネクタ３７２の使用を含む。ＵＡＲＴを介した対話は、ＵＡＲＴ送信器／受信器３６３の使用を含む。キーボード、マウス、および／またはディスプレイを介した対話は、適切なコネクタ３７４、３７５、３７６および内部ドライバ３６４、３６５、３６６を含む。ＵＭＣＳ３００は、再充電可能電源３８２からの電力を調節することが可能な電力インターフェース３８０をさらに含む。さらに、ＵＭＣＳ３００は、プロセッサ３１０の使用を通してＵＭＣＳ３００にオーディオ入力および出力機能を提供することが可能なオーディオＣＯＤＥＣインターフェース３９０を含んでもよい。
【００３８】
動作について、コンテンツ・オブジェクトは、アンテナ３４１、３４２、３４３の１つを介して受け取られ、プロセッサ３１０の指令の下で、ハードディスク・ドライブ３０５に転送されることができる。場合によっては、複数のコンテンツ・オブジェクトが、複数のアンテナ３４１、３４２、３４３を使用することによって受信または送信されてよい。したがって、具体的な一例として、ＵＭＣＳ３００は、コンテンツ・プロバイダからビデオ・コンテンツ・オブジェクトを受け取り、同じビデオ・コンテンツ・オブジェクトを、そのコンテンツ・オブジェクトを復号することが可能なＵＭＣＳ対応テレビに送ることができる。そのような場合、コンテンツ・オブジェクトの受け取りおよびバッファリングは、伝送経路３３０の１つによって実行され、受け取ったコンテンツは、プロセッサ３１０の指令の下で、ハードディスク・ドライブ３０５に提供される。同時に、コンテンツ・オブジェクトは、プロセッサ３１０によってハードディスク・ドライブ３０５から取り出され、特定のコンテンツによって指示されたデジタル著作権管理プロトコルを使用してアンラップされる。加えて、プロセッサ３１０は、別の伝送経路３３０を介してテレビを認証し、アンラップされたコンテンツをテレビに転送する。本明細書で提供される開示に基づいて、当業者であれば、本発明の１つまたは複数の実施形態によるＵＭＣＳデバイスを使用して可能となる様々な送信および受信の組合せについて理解されよう。例えば、３つのコンテンツ・オブジェクトは、同時に受信および保存されてよく、または３つのコンテンツ・オブジェクトは、同時に配布されてよい。
【００３９】
フラッシュ・メモリ３５８、ハードディスク・ドライブ３０５、およびプロセッサ３１０の間の対話は、電力節約を確実にするために慎重に適合されてよい。そのような電力管理は、すべての目的で先に参照により本明細書に組み込まれた、「Ｓｙｓｔｅｍｓ  ａｎｄ  Ｍｅｔｈｏｄｓ  ｆｏｒ  Ｐｏｗｅｒ  Ｍａｎａｇｅｍｅｎｔ  ｉｎ  Ｒｅｌａｔｉｏｎ  ｔｏ  ａ  Ｗｉｒｅｌｅｓｓ  Ｓｔｏｒａｇｅ  Ｄｅｖｉｃｅ」と題する出願においてより十分に説明されている。
【００４０】
図３ｂおよび図３ｃを参照すると、ＵＭＣＳ３００のメモリを区画化する２つの手法が図式的に示されている。具体的には、図３ｂは、プライベート・メモリ３９４、共用可能メモリ３９６、およびパブリック・メモリ３９８の３つのメモリ領域に区画化された、不揮発性メモリ３９２を示している。プライベート・メモリ３９４に保持されるコンテンツ・オブジェクトは、マスタ・デバイスからのみアクセス可能である。本明細書で使用される「マスタ・デバイス」という語句は、ＵＭＣＳ３００に通信可能に結合され、ＵＭＣＳ３００のコンテンツを制御するユーザに関連づけられたデバイスを指すために使用される。対照的に、共用可能メモリに保持されるコンテンツ・オブジェクトは、マスタ・デバイスからの招待（ｉｎｖｉｔａｔｉｏｎ）によって、またはマスタ・デバイスから認可を受けたときに、非マスタ・デバイスによってアクセスされることが意図されたコンテンツ・オブジェクトである。パブリック・メモリ３９８は、認可の必要なく任意のデバイスから自由にアクセス可能なコンテンツ・オブジェクトを含む。様々なメモリ区画は、不揮発性メモリ３９２の連続領域とすることができることに留意されたい。そのような手法は、メモリ・アドレスに基づいた共用ステータスの決定を可能にする。したがって、例えば、コンテンツ・メニューが要求デバイスに提供される場合、メニューを受け取るデバイスの認可レベルと一致するメモリ領域内のコンテンツ・オブジェクトだけが示される。具体的には、メニューを受け取るデバイスが認可されていない場合、そのデバイスには、パブリック・メモリ３９８内のコンテンツ・オブジェクトだけが示される。認可されたデバイスは、共用可能メモリ３９６およびパブリック・メモリ３９８の両方のコンテンツ・オブジェクトを見る。マスタ・デバイスは、不揮発性メモリ３９２から入手可能なすべてのコンテンツ・オブジェクトの一覧を受け取る。様々なメモリ領域は、不揮発性モリ３９２内で連続である必要がないことに留意されたい。正確に言えば、本発明のいくつかの実施形態では、特定のコンテンツ・オブジェクトの共用ステータスを示すために、各コンテンツ・オブジェクトは、不揮発性メモリ内で個々にマーク付けされることができる。そのような場合、同様のメニュー配布が実行されてよい。
【００４１】
図３ｃは、コンテンツ・オブジェクトを共用可能にする別の手法を示している。具体的には、すべてのコンテンツ・オブジェクトは、不揮発性メモリ３９１に保持され、すべてがプライベートであると見なされる。コンテンツ・オブジェクトの共用を求める承認済要求が受け取られた場合、特定のコンテンツ・オブジェクトが、共用可能メモリ区画３９５に転送される。ここから、共用可能メモリ３９５内に保持されたコンテンツ・オブジェクトは、認可された共用デバイスからアクセス可能である。転送されたコンテンツ・オブジェクトは、ＵＭＣＳ３００への電力がサイクル（ｃｙｃｌｅ）されるまで、または空間限界のために１つまたは複数のコンテンツ・オブジェクトを揮発性メモリ３９３から移動させなければならなくなるまで、揮発性メモリ３９３内に保持される。場合によっては、揮発性メモリ３９３からコンテンツ・オブジェクトを入れ換えるために、最低使用頻度アルゴリズム（ｌｅａｓｔ  ｆｒｅｑｕｅｎｔｌｙ  ｕｓｅｄ  ａｌｇｏｒｉｔｈｍ）が利用されてよい。本明細書で提供される開示に基づいて、当業者であれば、本発明の１つまたは複数の実施形態による、揮発性メモリ３９３を区画化するため、および揮発性メモリ３９３からコンテンツ・オブジェクトを入れ換えるための様々な手法について理解されよう。
【００４２】
図４ａを参照すると、フローチャート４００は、本発明の１つまたは複数の実施形態による、１つまたは複数のコンテンツ・オブジェクトを受け取り、コンテンツ・オブジェクトを受け取るプロセスの一部として、受け取ったコンテンツ・オブジェクトを共用可能またはプライベートにするための方法を示している。フローチャート４００によれば、コンテンツ・オブジェクトは、コンテンツ・オブジェクトのソースから受け取られる（ブロック４１０）。これは、例えば、音楽ＣＤを提供する小売サイトからオーディオ・コンテンツ・オブジェクトをダウンロードすることを含んでよい。別の例として、これは、ビデオコンテンツを提供する小売サイトからビデオ・コンテンツ・オブジェクトをダウンロードすることを含んでよい。本明細書で提供される開示に基づいて、当業者であれば、本発明の１つまたは複数の実施形態による様々なコンテンツ・ソースおよび受け取られ得るコンテンツ・オブジェクト・タイプについて理解されよう。コンテンツ・オブジェクトの受け取りは一般に、コンテンツ・オブジェクトの要求または購入に続いて行われる。コンテンツ・オブジェクトを求める要求を組み立てる際、ユーザは、コンテンツ・オブジェクトがパブリックとして、共用可能として、またはプライベートとして保持されていることを指示することができる。場合によっては、コンテンツ・オブジェクトのプロバイダは、特定のコンテンツ・オブジェクトがパブリックとしてマーク付けされることを許可しなくてよく、場合によっては、コンテンツ・オブジェクトが共用可能としてマーク付けされることを許可しなくてよい。したがって、実施されるデジタル著作権管理は、特定のコンテンツ・オブジェクトに対するアクセス制限に関して、ユーザの指示を無効にすることができる。
【００４３】
いずれにしても、コンテンツ・オブジェクトが受け取られた場合、コンテンツ・オブジェクトがパブリック・メモリ区画に保存されるかどうかを決定するために、コンテンツ・オブジェクトのアクセス・ステータスが問い合わされる（ブロック４１５）。コンテンツ・オブジェクトがパブリックとして示された場合（ブロック４１５）、コンテンツ・オブジェクトは、パブリック・メモリ区画に保存される（ブロック４２５）。代わりに、コンテンツ・オブジェクトが共用可能として示された場合（ブロック４２０）、コンテンツ・オブジェクトは、共用可能メモリ区画に保存される（ブロック４３５）。コンテンツ・オブジェクトがパブリックとしても、または共用可能としてもマーク付けされていない場合（ブロック４１５、４２０）、コンテンツ・オブジェクトは、プライベート・メモリ区画に保存される（ブロック４３０）。
【００４４】
図４ｂを参照すると、フローチャート４０１は、本発明の様々な実施形態による、コンテンツ・オブジェクト要求にサービスするための方法を示している。フローチャート４０１によれば、コンテンツ・オブジェクトを求める要求が受け取られる（ブロック４０３）。要求されたコンテンツ・オブジェクトがパブリックとして保持されているかどうかが決定される（ブロック４０６）。この決定は、要求されたコンテンツ・オブジェクトが存在するメモリ区画に基づいて、または要求されたコンテンツ・オブジェクトに関連して保存された１つもしくは複数のステータス・インジケータに基づいて行われてよい。要求されたコンテンツ・オブジェクトがパブリックとしてマーク付けされていると決定された場合（ブロック４０６）、コンテンツ・オブジェクトは、要求に従ってアクセスされ、配布される（ブロック４１２、４１８）。
【００４５】
代わりに、要求されたコンテンツ・オブジェクトがパブリックとしてマーク付けされていない場合（ブロック４０６）、コンテンツ・オブジェクトが共用可能としてマーク付けされているかどうかが決定される（ブロック４０９）。コンテンツ・オブジェクトが共用可能としてマーク付けされている場合（ブロック４０９）、コンテンツ・オブジェクトが共用されるデバイスが、コンテンツ・オブジェクトの認可された受取手であるかどうかが決定される（ブロック４３３）。これは、提案された受取側デバイスが、先にマスタ・デバイスによって認可デバイスとして識別されたかどうかを決定することを含むことができる。代わりに、これは、アクセスを要求することを含むことができ、そのとき、通信可能に結合されたマスタ・デバイスは、アクセスを認可するよう要求される。本明細書で提供される開示に基づいて、当業者であれば、コンテンツ・オブジェクトにアクセスすることを要求デバイスに認可するために使用され得る様々な手法について理解されよう。受取側デバイスが認可されている場合、コンテンツ・オブジェクトは、要求に従ってアクセスされ、配布される（ブロック４３６、４３９）。代わりに、コンテンツ・オブジェクトを共用しようとするデバイスが、コンテンツ・オブジェクトの認可された受取手ではない場合（ブロック４３３）、要求を拒否するメッセージが要求者に返される（ブロック４４２）。
【００４６】
要求されたコンテンツ・オブジェクトがパブリックとしてマーク付けされておらず（ブロック４０６）、かつ共用可能としてマーク付けされていない場合（ブロック４０９）、コンテンツ・オブジェクトを共用しようとするデバイスが、コンテンツ・オブジェクトの認可された受取手であるかどうかが決定される（ブロック４２１）。受取側デバイスが認可されている場合、コンテンツ・オブジェクトは、要求に従ってアクセスされ、配布される（ブロック４２４、４２７）。代わりに、コンテンツ・オブジェクトを共用しようとするデバイスが、コンテンツ・オブジェクトの認可された受取手ではない場合（ブロック４２１）、要求を拒否するメッセージが要求者に返される（ブロック４４２）。
【００４７】
図５を参照すると、ＵＭＣＳデバイス５１０の１つまたは複数の無線インターフェースを介してコンテンツ・オブジェクトを共用するためのシステム５００が示されている。ＵＭＣＳデバイス５１０は、例えば、図１〜図３に関して上で説明されたデバイスのような、任意の無線またはモバイル記憶デバイスとすることができる。ＵＭＣＳデバイス５１０は、少なくとも１つのマスタ・デバイス５４０と、１つまたは複数の共用デバイス５２０、５３０とに通信可能に結合される。マスタ・デバイス５４０は、ＵＭＣＳ５１０に登録された、または他の方法でＵＭＣＳ５１０に知られた、セルラ電話、携帯情報端末、またはラップトップ・コンピュータなどとすることができるが、それらに限定されない。共用デバイスは、定期的にＵＭＣＳデバイス５１０に知られるが、時々ＵＭＣＳ５１０に再認可を受けなければならない、セルラ電話、デジタル・オーディオ・プレーヤ、デジタル・ビデオ・プレーヤ、携帯情報端末、またはラップトップ・コンピュータなどとすることができるが、それらに限定されない。場合によっては、共用デバイス５２０、５３０およびマスタ・デバイス５４０の両方が、グラフィカル・ユーザ・インターフェースを含む。
【００４８】
動作について、マスタ・デバイス５４０は、コンテンツ・オブジェクトがパブリック、共用可能、またはプライベートのいずれとして識別されても、ＵＭＣＳ５１０に保持されている任意のコンテンツ・オブジェクトにアクセスすることができる。さらに、マスタ・デバイス５４０は、追加のコンテンツ・オブジェクトがＵＭＣＳ５１０にロードされるようにすること、またはコンテンツ・オブジェクトがＵＭＣＳ５１０から削除されるようにすることができる。ひとたび認可されると、共用デバイス５２０、５３０は、それらのアクセス範囲内において識別される任意のコンテンツ・オブジェクトにアクセスすることができる。したがって、例えば、共用デバイスは、すべての共用可能コンテンツ・オブジェクトにアクセスすることを認可された場合、共用可能として識別されるすべての入手可能なコンテンツ・オブジェクトの表示を要求することができる。さらに、共用デバイスは、共用可能として識別されるコンテンツ・オブジェクトのいずれかを要求し、受け取ることができる。多くの共用デバイスおよび多くのマスタ・デバイスがシステム５００に含まれてよいことに留意されたい。
【００４９】
本発明のいくつかの実施形態では、システム５００などのシステムは、Ｄｉｇｉｔａｌ  Ｃａｍｐｆｉｒｅ（商標）を実施するために使用することができる。そのようなＤｉｇｉｔａｌ  Ｃａｍｐｆｉｒｅ（商標）は、多くの参加者が特定のコンテンツを同時に見ること、または聴くことを可能にする。音楽コンテンツ・オブジェクトを一例として使用すると、参加者の各々は、ＵＭＣＳ５１０にアクセスして、同じ音楽コンテンツ・オブジェクトまたはコンテンツ・オブジェクトのプレイ・リストを要求することができる。その後、要求されたコンテンツ・オブジェクトは、参加者の各々によって維持されるデバイス（例えば、マスタ・デバイス５４０および共用デバイス５２０、５３０）にアップロードされる。その後、要求された音楽は、それぞれの共用またはマスタ・デバイスに接続されたヘッドフォンを介して聴くことができる参加者の各々に対して再生される。同様のプロセスは、ビデオ・コンテンツ・オブジェクトへの共用アクセスについても使用することができる。本明細書で提供される開示に基づいて、当業者であれば、システム５００などのシステムを使用して可能にされ得る様々な共用シナリオについて理解されよう。
【００５０】
図６ａ〜図６ｂを参照すると、本発明の１つまたは複数の実施形態による、図５に関して説明された共用認可シナリオのための手法が、フローチャート６００、６２０として図式的に示されている。具体的には、フローチャート６００は、共用の認可を求める要求がマスタ・デバイスから受け取られた場合に共用を認可するための方法を示している。フローチャート６００によれば、ＵＭＣＳにおいて、共用の招待がマスタ・デバイスから受け取られる（ブロック６０２）。共用の招待は、共用可能として指定されている多くのコンテンツ・オブジェクトを識別することができ、または共用可能にされるコンテンツ・オブジェクトのクラスを指示することができる。識別されたコンテンツ・オブジェクトは、共用可能としてマーク付けされる（ブロック６０４）。したがって、例えば、コンテンツ・オブジェクトが通常はプライベートとして保持されている場合、招待は、コンテンツ・オブジェクトの１つまたは複数が共用可能としてマーク付けされるようにすることができる。他の場合では、共用可能な１つまたは複数のコンテンツ・オブジェクトは、不揮発性メモリ領域から、共用可能として示された揮発性メモリ区画に移動させることができる。本明細書で提供される開示に基づいて、当業者であれば、本発明の１つまたは複数の実施形態に関して使用され得るコンテンツ・オブジェクト用のアクセス・パラメータを示すための様々な手法について理解されよう。
【００５１】
さらに、共用の招待は、１つまたは複数の共用デバイスを指示することができる（ブロック６０８）。共用デバイスは、ＵＭＣＳによって維持される認可デバイス一覧において示される。１つまたは複数の共用デバイスをそのように識別することによって、共用可能として識別されるコンテンツ・オブジェクトを求める要求が、特定の共用デバイスから受け取られた場合、その要求は、ＵＭＣＳに通信可能に結合されたマスタ・デバイスからの追加の認可を必要とすることなく、サービスを受けることができる。ひとたび招待が受け取られ、共用にとって必須のアクションが完了すると（ブロック６０２、６０４、６０８）、ＵＭＣＳデバイスは、１つまたは複数の識別された共用デバイスからの要求を待機する。
【００５２】
図６ｂを参照すると、フローチャート６２０は、共用の認可を求める要求が非マスタ・デバイスから受け取られた場合に共用を認可するための方法を示している。フローチャート６２０によれば、非マスタ・デバイスからのコンテンツ共用を求める要求は、ＵＭＣＳによって受け取られる（ブロック６２３）。要求は、要求を行ったデバイスの識別情報および／または要求を行ったデバイスを制御する人の識別情報を含むことができる。その後、要求デバイスがすでに認可されているかどうかが決定される（ブロック６２６）。これは、認可デバイスの一覧にアクセスすることと、要求デバイスを一覧内のデバイスと比較することとを含むことができる。要求デバイスが以前に認可されたことがない場合（ブロック６２６）、認可要求が、ＵＭＣＳから、通信可能に結合されたマスタ・デバイスにアップロードされる（ブロック６２９）。これは、マスタ・デバイスのグラフィカル・ユーザ・インターフェースを駆動するための内容を提供することを含むことができる。リモート・グラフィカル・ユーザ・インターフェースに関するこの手法は、図２に関して上で説明されている。その後、マスタ・デバイスからの応答が待機される。否定応答が受け取られた場合（ブロック６３２）、共用を求める要求を拒否するメッセージが、要求デバイスに送られる（ブロック６４１）。
【００５３】
代わりに、肯定応答がマスタ・デバイスから受け取られた場合（ブロック６３２）、共用コンテンツ・オブジェクトのメニュー（すなわち、要求デバイスに入手可能なコンテンツ・オブジェクト）が、要求デバイスにアップロードされる（ブロック６３５）。このメニュー情報は、図２に関して上で説明されたプロセスと同じプロセスを使用して、要求デバイスのグラフィカル・ユーザ・インターフェースを駆動することができる。その後、ＵＭＣＳデバイスは、要求デバイスに入手可能な特定のコンテンツ・オブジェクトを求める要求を待機する。コンテンツ・オブジェクトを求める要求が受け取られた場合（ブロック６３８）、要求されたコンテンツ・オブジェクトがアクセスされ、要求デバイスに配布される（ブロック６４４、６４７）。
【００５４】
結論として、本発明は、マルチユーザ・コンテンツ・オブジェクト共用環境を実施するための新規なシステム、デバイス、方法、および構成を提供する。多くの異なるデータ共用手法が本明細書で説明されたが、当業者であれば、本開示を読んだときに、本発明の様々な実施形態に従って実施され得る他の手法を理解するであろうことに留意されたい。特に、本発明の１つまたは複数の実施形態の詳細な説明が上で与えられたが、本発明の主旨から逸脱することのない様々な代替、修正、および均等物が当業者には明らかであろう。したがって、上記の説明は、本発明の範囲を限定するものと理解されるべきではなく、本発明の範囲は、添付の特許請求の範囲によって確定される。
【図面の簡単な説明】
【００５５】
【図１】本発明のいくつかの実施形態による、１つまたは複数のＵＭＣＳデバイスを含むコンテンツ使用ネットワークを示す図である。
【図２ａ】本発明の様々な実施形態による、モバイル・アプリケーション・デバイスに結合された例示的なＵＭＣＳデバイスを示す図である。
【図２ｂ】本発明のいくつかの実施形態による、リモート・グラフィカル・ユーザ・インターフェースを介してＵＭＣＳデバイスを操作するための方法を示すフローチャートである。
【図２ｃ】非常に限られたユーザ・インターフェースだけを含むＵＭＣＳデバイスの例示的なケースを示す図である。
【図３ａ】本発明のいくつかの実施形態による、例示的なＵＭＣＳデバイスのブロック図である。
【図３ｂ】本発明のいくつかの実施形態による、ＵＭＣＳデバイスのメモリを区画化する２つの手法を示す図である。
【図３ｃ】本発明のいくつかの実施形態による、ＵＭＣＳデバイスのメモリを区画化する２つの手法を示す図である。
【図４ａ】本発明の１つまたは複数の実施形態による、１つまたは複数のコンテンツ・オブジェクトを受け取り、コンテンツ・オブジェクトを受け取るプロセスの一部として、受け取ったコンテンツ・オブジェクトを共用可能またはプライベートにするための方法を示すフローチャートである。
【図４ｂ】本発明の様々な実施形態による、コンテンツ・オブジェクト要求にサービスするための方法を示すフローチャートである。
【図５】本発明のいくつかの実施形態による、ＵＭＣＳデバイスの１つまたは複数の無線インターフェースを介してコンテンツ・オブジェクトを共用するためのシステムを示す図である。
【図６ａ】本発明の１つまたは複数の実施形態による、ＵＭＣＳデバイスを使用する共用認可シナリオのための手法を示す図である。
【図６ｂ】本発明の１つまたは複数の実施形態による、ＵＭＣＳデバイスを使用する共用認可シナリオのための手法を示す図である。
【図１】
2009545020.tif 000003
【図２ａ】
2009545020.tif 000004
【図２ｂ】
2009545020.tif 000005
【図２ｃ】
2009545020.tif 000006
【図３ａ】
2009545020.tif 000007
【図３ｂ】
2009545020.tif 000008
【図３ｃ】
2009545020.tif 000009
【図４ａ】
2009545020.tif 000010
【図４ｂ】
2009545020.tif 000011
【図５】
2009545020.tif 000012
【図６ａ】
2009545020.tif 000013
【図６ｂ】
2009545020.tif 000014
【国際調査報告】
2009545020.tif 000015